(57)【特許請求の範囲】
【請求項１】
遊技媒体が流下可能な遊技領域が前面に形成された遊技盤と、
遊技者が視認可能な発光役物とを備え、
前記発光役物は、
前面に透光部分及び不透光部分を有する装飾部と、
前記装飾部の後方に配置される光拡散シートと、
前記光拡散シートの後方に配置され、側方からの入射光を前記光拡散シートの側に出射させる導光部材と、
前記装飾部の前記不透光部分の後方に配置され、側方から前記導光部材の内部に光を照射する光源とを含み、
前記導光部材は、透光性を有する板状部材であって、前後方向に貫通する孔が複数個形成されており、
前記導光部材には、側方からの入射光を前記光拡散シートの側に出射させるためのレンズが複数個形成されており、
複数個の前記レンズは、前記孔を実質的に中心として放射状に配列されており、
前記光源は、前記導光部材に形成されている複数個の前記孔のそれぞれに配置される、遊技機。
【請求項２】
遊技媒体が流下可能な遊技領域が前面に形成された遊技盤と、
遊技者が視認可能な発光役物とを備え、
前記発光役物は、
前面に透光部分及び不透光部分を有する装飾部と、
前記装飾部の後方に配置される光拡散シートと、
前記光拡散シートの後方に配置され、側方からの入射光を前記光拡散シートの側に出射させる導光部材と、
前記装飾部の前記不透光部分の後方に配置され、側方から前記導光部材の内部に光を照射する光源とを含み、
前記導光部材は、透光性を有する板状部材であって、前後方向に貫通する孔が複数個形成されており、
前記導光部材には、側方からの入射光を前記光拡散シートの側に出射させるためのレンズが複数個形成されており、
複数個の前記レンズは、前記孔に実質的に同じ向きに対向する複数個の円弧状の線分のそれぞれに沿って配列されており、
各前記レンズは、前記孔に対向する円弧に沿う形状を有しており、
前記光源は、前記導光部材に形成されている複数個の前記孔のそれぞれに配置される、遊技機。
【発明の詳細な説明】
【技術分野】
【０００１】
遊技機に関する。
【背景技術】
【０００２】
パチンコ機等の遊技機においては、弾球された遊技球が遊技領域（遊技盤の表面に形成されて遊技球が流下可能な領域であって、遊技球の流下による遊技や演出を実現するための領域。）を流下して、その流下の過程で遊技球が遊技領域内の遊技釘や風車に衝突しつつ転回して流下方向が変化する。その結果、遊技領域上に配置された各種入賞口に遊技球が入賞すれば所定の賞球の払出しがされ、一方いずれの入賞口にも入賞せずアウト口に遊技球が流入すれば賞球の払出しはされない。遊技者は、弾球における自らの技量を発揮して、又は遊技球の流下における偶然性を利用しつつ遊技球の入賞及び賞球の払出しを期待し、遊技を楽しむのである。
【０００３】
近年、ＬＥＤにより発光する役物を有するパチンコ機が提案されている。例えば、点光りするＬＥＤが背面に設けられた発光役物を有するパチンコ機が提案されている（例えば、特許文献１参照）。また近年では、可動体（役物）を用いることが一般的に行われている。可動体を用いることにより、液晶ユニット単独では表現しきれない演出を補い、加えて液晶ユニットとの連動等による新たな演出を実現することが可能となる。
【先行技術文献】
【特許文献】
【０００４】
【特許文献１】特開２０１１−２２４２５２号公報
【発明の概要】
【発明が解決しようとする課題】
【０００５】
ＬＥＤにより発光する役物を有するパチンコ機は提案されているが、近年のパチンコ機では高い演出効果を発揮させるために、役物の個数が多くなってきたり、役物が大きくなってきたり厚くなってきたりしている。液晶ユニットも、大きくなってきたり厚くなってきたりしている。そのため、発光役物を配置可能な空間が小さくなって、発光役物を配置することが困難になってきており、発光役物を薄くする必要が生じてきている。加えて、発光役物の後側にＬＥＤ等の光源を離散的に配置して後方照射を行うと、発光役物の表面側では光源からの距離に応じた明暗が生じ、点光りという現象が生じる。発光役物を薄くすればするほど、表面と光源の距離が短くなり、点光りがより一層明確になってしまう。発光役物は光演出効果が高いので、配置可能な空間が限られている中でも、比較的に均一な面発光を行う発光役物が配置されたパチンコ機が提供されることが望まれている。
【０００６】
本願発明は、上記の事情に鑑みて為されたもので、限られた空間であっても配置可能でかつ比較的に均一な面発光を行う発光役物を有する遊技機を提供することを例示的課題とする。
【課題を解決するための手段】
【０００７】
上記の課題を解決するために、本願発明の例示的側面としての遊技機は、遊技媒体が流下可能な遊技領域が前面に形成された遊技盤と、遊技者が視認可能な発光役物とを有する。発光役物は、前面に透光部分及び不透光部分を有する装飾部と、装飾部の後方に配置される光拡散シートと、光拡散シートの後方に配置され、側方からの入射光を光拡散シートの側に出射させる導光部材と、装飾部の不透光部分の後方に配置され、側方から導光部材の内部に光を照射する光源とを含む。
【０００８】
本願発明の更なる目的又はその他の特徴は、以下添付図面を参照して説明される好ましい実施形態によって明らかにされるであろう。
【発明の効果】
【０００９】
限られた空間であっても配置可能でかつ比較的に均一な面発光を行う発光役物を有する遊技機を提供することができる。
【図面の簡単な説明】
【００１０】
【図１】実施形態に係るパチンコ機の正面図である。
【図２】図１に示すパチンコ機の外観斜視図である。
【図３】図１に示すパチンコ機においてガラス枠を前方開放した状態の外観斜視図である。
【図４】前枠と遊技盤ユニットとを前後に分解した分解斜視図である。
【図５】遊技盤の表面（遊技盤面）に取り付けられるセンター役物の一部を構成する発光役物の分解斜視図である。
【図６】図５に示す導光部材の後面を示す背面図である。
【図７】（ａ）は図６に示す導光部材における円で囲まれた部分の拡大図であり、（ｂ）は（ａ）のＢ−Ｂ線における導光部材の断面図である。
【図８】図５に示す導光部材の後方に光源用基板が積層された状況を前方から見た図である。
【実施するための形態】
【００１１】
以下、実施形態について図面を用いて説明する。図１は、実施形態に係る遊技機としてのパチンコ機２の正面図であり、図２は、図１に示すパチンコ機２の外観斜視図である。
【００１２】
パチンコ機２は、遊技機枠３、遊技盤ユニット５、ガラス枠１２、発射ユニット（不図示）、球皿１４を有している。遊技盤ユニット５の一部である遊技盤６の表面に形成された遊技領域１６に向けて、発射ユニットによって１球ずつ遊技球（遊技媒体）２３が発射可能とされている。
【００１３】
パチンコ機２は、後述する発射装置ハンドル１５を遊技者が操作することによって、遊技領域１６に向けて遊技球２３が発射され、遊技球２３の流下による遊技が実現される。なお、遊技機は、パチンコ機２の他にパチンコ式スロットマシン機（いわゆるパロット機）、コインゲーム機等のアーケードマシン、各種ゲーム機を概念することができ、要するに、遊技媒体の流下による遊技を実現する遊技領域を有するあらゆる遊技機が含まれる。また、パチンコ機においても、アレンジボール機、雀球機等の組合せ式パチンコ機、いわゆるデジパチタイプ（１種タイプ）やハネモノタイプ（２種タイプ）のパチンコ機等のあらゆるパチンコ機を概念することができる。
【００１４】
本願においては、一般的な方向の定義として、パチンコ機を正面（遊技者側）から見た場合における方向で上下左右方向を定義する。また、遊技者からパチンコ機に向かう方向を後方、パチンコ機から遊技者に向かう方向を前方と定義する。また、遊技球２３が遊技領域１６を流下する場合、原則として流下方向（下方）が下流側であり、逆方向（上方）が上流側となるが、下流、上流の概念は上下に限定されず、あくまで遊技球の流下する方向を下流側と定義する。
【００１５】
パチンコ機２の遊技機枠３は、後述する遊技盤ユニット５を保持するためのもので、このパチンコ機２の周囲側面及び前方又はそれに加えて後方を囲むように構成される。遊技機枠３の内側には、遊技盤ユニット５の他にも各種制御基板や遊技球２３用の通過経路等各種機構部品が配置され、遊技機枠３によって周囲側面及び前方又はそれに加えて後方からのパチンコ機２内部側への不正アクセスが防止されるようになっている。
【００１６】
パチンコ機２の周囲を囲む外枠４、その内側にヒンジ２２によって前方開閉可能に揺動支持されて遊技盤ユニット５を保持する前枠９、前枠９の前方にヒンジ２２によって前方開閉可能に揺動支持されガラス（ガラス板）１０及びその周囲を装飾する装飾部材３２を保持するガラス枠１２、を有して遊技機枠３が構成される。なお、ガラス１０は、遊技機枠３内部側に保持された遊技盤６を前方から遊技者が視認することができるようにするための透明部材である。
【００１７】
ガラス１０は、遊技盤６に対して一定距離以上離間して配置された透明板である。ガラス１０は、２枚の透明平板ガラスが前後に配置されてガラス枠１２の裏面側に保持され、遊技盤６との間に遊技球２３が流下する流下空間を形成する機能、遊技者がガラス１０を通して遊技盤６を視認できるように視認性を確保する機能、遊技者が遊技盤６に不正にアクセス（接触）できないようにする不正アクセス防止機能、を発揮する。ガラス枠１２には、略中央に大きく中央開口が形成されており、その中央開口の周囲を囲むように装飾部材３２が配置されており、中央開口を塞ぐようにガラス１０が配置されている。
【００１８】
球皿１４は、遊技者の持ち球を貯留するためにパチンコ機２の前面に配置された皿部材であって、本実施形態においては上球皿１４ａと下球皿１４ｂとを有している。上球皿１４ａは遊技盤６の下方、すなわちガラス枠１２の下方部分に配置され、下球皿１４ｂは、その上球皿１４ａの更に下方に配置されている。
【００１９】
発射ユニットは、球送り装置（不図示）によって球皿１４の一部としての上球皿１４ａから発射位置に送り出された遊技球２３を遊技領域１６の上部に向けて発射（弾球）するためのものである。発射ユニットは、例えば発射位置の遊技球２３を弾球する発射杆、その発射杆を駆動する発射モータ、発射杆を付勢して弾球力を発生させる発射バネ等を有してユニット構成され、前枠９に取り付けられている。その発射ユニットによる球発射のため、遊技者の操作に基づいて球発射のオンオフ及びその発射強度調整を実現する発射装置ハンドル１５がパチンコ機２の前面下方に設けられている。
【００２０】
図３は、図１に示すパチンコ機２においてガラス枠１２を前方開放した状態の外観斜視図である。ガラス枠１２を前方開放すると、前枠９に保持された遊技盤ユニット５の遊技領域１６が前方に露出する。このパチンコ機２においては、前枠９の後方から遊技盤ユニット５が取り付けられ、前枠９の略中央に大きく開口形成された中央開口９ａに遊技領域１６が臨むようになっている。なお、このパチンコ機２では、中央開口９ａの内側面の一部が外レール２６ａとして機能しており、発射ユニットによって発射された遊技球２３が外レール２６ａによって遊技領域１６の上部に向けて案内されるようになっている。
【００２１】
図４は、前枠９と遊技盤ユニット５とを前後に分解した分解斜視図である。図４においては、遊技盤ユニット５も、遊技盤６、スペーサ（基盤部材）１１、後方ユニット（役物ユニット）１３に分解して示している。
【００２２】
前枠９は、ガラス枠１２の後方に位置し、ヒンジ２２を介して外枠４に軸支され、ヒンジ２２を中心として前後に揺動開閉可能とされている。前枠９の後方に遊技盤ユニット５が保持されるようになっており、前枠９の中央開口９ａから遊技領域１６が前方に臨むようになっている。遊技盤ユニット５は、前方ユニット８、遊技盤６、スペーサ１１、後方ユニット１３を有して大略構成されている。前方ユニット８は、遊技盤６の表面（遊技盤面）６ａに取り付けられる部品であり、例えば、遊技領域１６を囲むように配置されるレール飾り２６、遊技盤６に開口形成されたセンター開口６ｂの周囲を囲むセンター役物７、始動入賞口２９等を含む。
【００２３】
遊技盤６は、表面に遊技領域１６を形成する盤状部材であり、その略中央位置には、後方ユニット１３の一部や演出表示装置（不図示）を臨ませるためのセンター開口６ｂが形成されている。遊技盤面６ａには、流下する遊技球２３の流下経路を変更させることにより遊技を演出するための、多数の遊技釘や風車等（いずれも不図示）も配置されている。遊技盤６は、アクリル等の樹脂で形成され、かつ、透光性を有しており、特に本実施形態においては透明である。
【００２４】
スペーサ１１は、遊技盤６の後方に取り付けられる平板状の樹脂部材である。本実施形態においては、スペーサ１１は黒色であって不透光とされており、その後方が遊技者から視認できないようになっている。スペーサ１１は、図４に示すように、周囲において連続し、かつ中央が開口したいわゆるドーナツ形状を呈しており、遊技盤６の周囲における後面を支持している。またスペーサ１１は、側面の少なくとも一部を覆うように位置している。
【００２５】
スペーサ１１は、前枠９に遊技盤６を取り付ける際の補助部材として機能する。前枠９に取付け可能な遊技盤の前後方向における厚さは、本実施形態に係る遊技盤６の厚さよりも厚い。そのため、遊技盤６にスペーサ１１を取り付けて遊技盤ユニット５全体としての取付け部分における厚さを増大させて、前枠９に取付け可能な厚さと一致させている。それにより、この遊技盤６をスペーサ１１と共に前枠９に適正に取り付けることができるようになっている。
【００２６】
後方ユニット１３は、スペーサ１１の後方に取り付けられる遊技演出用の役物ユニットである。後方ユニット１３は、動作演出や光演出によって遊技者に対して演出を提供するためのもので、その一部がセンター開口６ｂから前方に露出するように配置されて遊技者に呈示される。また、後方ユニット１３の中央開口１３ａには、その後方に取り付けられる演出表示装置の表示面が位置するようになっている。この遊技盤６は透明であるので、センター開口６ｂ以外の部分においても遊技盤面６ａを透過してその後方にある後方ユニット１３が遊技者から視認できるようになっている。
【００２７】
図５は、遊技盤６の表面（遊技盤面）６ａに取り付けられるセンター役物７の一部を構成する発光役物４０の分解斜視図である。発光役物４０は、遊技盤６の前方に位置する透明なガラス（ガラス板）１０と、遊技盤６との間に配置される。そのため、遊技者は前方から発光役物４０を視認することができ、遊技者に光演出を提供する。発光役物４０は、図５に示す通り、装飾部４１と、光拡散シート４２と、導光部材４３と、光源用基板４４と、支持体４５とを有する。図５には、発光役物４０が取り付けられる摺動部材７０も表示されている。
【００２８】
装飾部４１は、例えば透光性を有する樹脂製材料によって形成されたものであって、前面に透光部分４１ｂ及び不透光部分４１ｃを有する板状部４１ａと、板状部４１ａの外周において後方に突出した側壁とを含む。側壁を含む装飾部４１の外縁部４１ｄの少なくとも一部は、例えば導電性材料である金属がめっきされている。外縁部４１ｄの色は、例えば金色系の色である。図５では、不透光部分４１ｃは斜線によって表現されている。
【００２９】
後述するように、装飾部４１には後方から前方の向きに光が照射され、その光は透光部分４１ｂを透過して前方に伝達し、不透光部分４１ｃは前方への光の伝達を遮断する。例えば、透光部分４１ｂは不透光部分４１ｃより前方に突出し、不透光部分４１ｃは黒色塗料によって形成される。装飾部４１が、突出した透光部分４１ｂと、黒色の不透光部分４１ｃと、金色系の金属めっきによって形成された外縁部４１ｄとを有する場合、それら３つの部位の形態の相違が前方において顕著に視認されるため、装飾部４１が遊技者に提供する光演出効果は高くなる。特に、光が装飾部４１の後方から前方の向きに照射されたとき、透光部分４１ｂから前方に光が伝達されるので上述の３つの部位の形態の相違が前方において更に顕著に視認され、装飾部４１が遊技者に提供する光演出効果は更に高くなる。
【００３０】
光拡散シート４２は、透光性を有する樹脂等の絶縁体材料によって形成されている光学素子であって、装飾部４１の板状部４１ａの後方に配置され、後方から入射してくる光を装飾部４１に向けて拡散させながら出射させる。光拡散シート４２は絶縁体材料によって形成されているので、装飾部４１の外縁部４１ｄに導電性材料である金属がめっきされていても、外縁部４１ｄと光源用基板４４に設けられる配線等の金属部分とが電気的に短絡することを抑制することができる。すなわち、光拡散シート４２は、光を拡散させる機能とともに、光源用基板４４を電気的に保護する機能を兼ね備えている。
【００３１】
加えて、遊技盤６がアクリル等の樹脂によって形成されている場合、遊技盤面６ａを遊技球２３が流下する際に遊技盤６が遊技球２３と接触して摩擦することにより帯電するという、遊技盤がベニヤ板によって形成されている場合にはほとんど生じない現象が生じる可能性が高くなる。光拡散シート４２は絶縁体材料によって形成されているので、光拡散シート４２は、遊技盤６の帯電した部分と、導電性材料である金属がめっきされることにより形成された装飾部４１の外縁部４１ｄとが電気的に短絡することを抑制することができる。それにより、遊技盤６が焼け付くことを抑制することができる。すなわち、光拡散シート４２は、遊技盤６を電気的に保護する機能を更に有する。
【００３２】
更にまた、遊技盤６がアクリル等の樹脂によって形成されている場合、上述の通り遊技盤６が帯電するという現象が生じる可能性が高くなるが、光拡散シート４２が絶縁体材料によって形成されているので、装飾部４１の外縁部４１ｄに導電性材料である金属がめっきされていても、外縁部４１ｄと光源用基板４４に設けられる配線等の金属部分とが電気的に短絡することを抑制することができる。
【００３３】
導光部材４３は、光拡散シート４２の後方に配置され、側方からの入射光を光拡散シート４２の側、つまり前方に出射させる光学素子である。導光部材４３の厚さは装飾部４１の外縁部４１ｄの側壁の厚さより薄い。光拡散シート４２も薄く、光拡散シート４２及び導光部材４３が装飾部４１の板状部４１ａの後方に積層されると、導光部材４３の側面は装飾部４１の外縁部４１ｄの側壁によって覆われる。そのため、導光部材４３からの光は装飾部４１の側壁から外側に漏れない。
【００３４】
導光部材４３について、図６及び図７をも用いて更に説明する。図６は、図５に示す導光部材４３の後面を示す背面図である。図７（ａ）は図６に示す導光部材４３における円Ｙで囲まれた部分の拡大図であり、図７（ｂ）は図７（ａ）のＢ−Ｂ線における導光部材４３の断面図である。本実施形態における導光部材４３は、樹脂等によって形成された透光性を有する板状部材であって、図５、図６及び図７（ａ）に示す通り、前後方向に貫通する孔４３ａが離散的に複数個形成されている。各孔４３ａには、光源用基板４４に設けられる光源４４ａが挿入されて配置される。図６及び図７に示す通り、導光部材４３の後面には、側方からの入射してくる光源４４ａからの光を光拡散シート４２の側、つまり前方に出射させるためのレンズ４３ｂが複数個形成されている。
【００３５】
図７（ｂ）に示す通り、レンズ４３ｂは導光部材４３の後面に形成された凹部である。例えば、レンズ４３ｂは、板状の導光部材４３の後面が削られることにより、又は、凹部を形成するための凸部を有する型に液体状の樹脂を流し込んで固化させることにより形成される。図６において破線により示された直線状の線分ｐ１〜ｐ５のように、導光部材４３の複数個のレンズ４３ｂは孔４３ａを実質的に中心として放射状に配列されている。光源４４ａからの側方照射光は、導光部材４３の外側に向かって進行する。複数個のレンズ４３ｂが放射状に配列されているので、光源４４ａからの側方照射光を板状の導光部材４３の全体に伝達させることができる。
【００３６】
更に、図６及び図７（ａ）の円Ｙ内において破線により示された円弧状の線分ｒ１〜ｒ１１近傍のように、複数個のレンズ４３ｂは、孔４３ａに対して実質的に同じ向きに対向する複数個の円弧状の線分に沿って配置されている。円弧状の線分は、孔４３ａから遠ざかるにつれて長くなっている。そのため、円弧状の線分に沿って配置された複数個のレンズ４３ｂにより、光源４４ａからの拡散して照射される側方照射光を板状の導光部材４３全体に低損失率で伝達させることができる。
【００３７】
更にまた、各レンズ４３ｂは、それらが配列されている円弧状の線分に沿う形状を有している。このように各レンズ４３ｂが孔４３ａに対向する円弧に沿う形状を有しているので、光源４４ａから拡散して照射される光は各レンズ４３ｂによって効率よく外側に伝達させることができ、その結果、光源４４ａからの光を板状の導光部材４３の全体に伝達させることができる。導光部材４３全体に伝達した光源４４ａからの側方照射光は、レンズ４３ｂを形成する側面によって、反射、屈折、又は散乱等され、それにより側方照射光の一部の進行方向は前方に変わる。上述の通り導光部材４３には孔４３ａが離散的に複数個形成されている。そのため、導光部材４３は側方からの入射光を光拡散シート４２の側、つまり前方に出射する際、光量が平面内の場所にほとんど依存することなく均一となるような面発光を出射させることができる。
【００３８】
光源用基板４４は、導光部材４３の後方に配置され、光源４４ａが取り付けられた基板である。光源４４ａは、光源用基板４４が導光部材４３の後方に積層された際に導光部材４３の孔４３ａに重なって配置されるように、光源用基板４４に取り付けられる。
【００３９】
加えて、光源４４ａは導光部材４３の孔４３ａを形成する側面に光を照射することができるように、すなわち発光面４４ｂ（図８参照）が前方ではなく側方に向くように光源用基板４４に取り付けられる。更に、光源４４ａは、装飾部４１の板状部４１ａ、光拡散シート４２、導光部材４３及び光源用基板４４がその順に積層されたときに、板状部４１ａにおける不透光部分４１ｃの後方となる位置に配置される。そのため、光源４４ａは前方から視認されない。光源４４ａの点消灯は、例えば副制御基板（不図示）によって制御される。光源４４ａは、例えばＬＥＤである。
【００４０】
光源４４ａと導光部材４３の孔４３ａとの位置関係を図８を用いて説明する。図８は、図５に示す導光部材４３の後方に光源用基板４４が積層された状況を前方から見た図である。図８に示す通り、光源４４ａの発光面４４ｂは導光部材４３の各孔４３ａを形成している側面４３ｃと対向しており、その側面４３ｃは導光部材４３の前面及び後面と実質的に直交している。その構成により、光源４４ａは側方から導光部材４３の内部に、光を効率よく照射することができる。
【００４１】
上述の通り、導光部材４３の後面には凹状のレンズ４３ｂが複数個設けられており、複数個のレンズ４３ｂは、孔４３ａを実質的に中心として放射状に、かつ孔４３ａに実質的に同じ向きに対向する複数個の円弧状の線分に沿って配置されている。加えて、導光部材４３に孔４３ａが離散的に複数個形成されている。そのため、少ない個数の光源４４ａを用いて、光源４４ａからの側方照射光を板状の導光部材４３の全体に伝達させることができる。加えて、光源４４ａは導光部材４３の後面ではなく孔４３ａに挿入されるので、光源４４ａが導光部材４３の後面に配置された場合に比べて発光役物４０を薄くすることができる。
【００４２】
仮に、光源４４ａが導光部材４３の後面に離散的に配置された場合を仮定する。その場合、導光部材４３が後方から光源４４ａが照射する光を受けると、導光部材４３の前面では、光源４４ａからの距離から遠ざかるにつれて前方へ伝達する光の量が少なくなり、いわゆる点光りという現象が生じる。しかしながら、本実施形態では、光源４４ａは導光部材４３に離散的に形成された各孔４３ａに配置され、光を側方照射する。そのため、少ない個数の光源４４ａを用いて、前方へ伝達する光の量を場所にほぼ依存することなく均一にすることができる。すなわち、本実施形態における導光部材４３及び光源４４ａの構成により、均一な面発光を行わせることができる。
【００４３】
支持体４５は、光源用基板４４の後方に配置され、装飾部４１と、光拡散シート４２と、導光部材４３と、光源用基板４４とを前方に支持する部材である。装飾部４１、光拡散シート４２、導光部材４３及び光源用基板４４は、ネジによって支持体４５の前方に取り付けられる。支持体４５の後面は、発光役物４０を上下にスライド移動させるためのスライド機構に取り付けられる。
【００４４】
本実施形態では、支持体４５の後面は、スライド機構の一部としての摺動部材７０にネジによって取り付けられる。摺動部材７０は上下方向に長い板状部材であって、例えば摺動部材７０の前方の下方部分に支持体４５の後面が取り付けられる。摺動部材７０の右側面には前後方向のガイド溝が等間隔に複数個形成されており、センター役物７にはそのガイド溝と噛み合い、スライド機構の一部としての歯車（不図示）が設けられており、歯車が回転することにより摺動部材７０が上下にスライド移動する。摺動部材７０が上下にスライド移動することにより、発光役物４０は上下にスライド移動する。発光役物４０の上下方向のスライド移動は、例えば副制御基板によって制御される。
【００４５】
本実施形態では、導光部材４３に離散的に設けられた各孔４３ａに光源４４ａが挿入されるので、発光役物４０を薄くすることができる。その結果、パチンコ機２に限られた空間しかなくても、比較的に均一な面発光を行う発光役物４０を限られた空間に配置することができる。加えて、上記のスライド機構を用いることにより、発光役物４０を容易に上下にスライド移動させることが可能となる。更に、発光役物４０は、パチンコ機２の上方に位置する球タンクを隠すカバーとして使用することもできる。
【００４６】
なお、上述した実施形態では、レンズ４３ｂは導光部材４３の後面に設けられた凹部である。しかしながら、レンズ４３ｂは導光部材４３の後面に設けられた凹部に限定されない。例えば、導光部材４３の後面に薄膜の反射部が設けられている場合であれば、光は反射部により前方側に反射されるので、レンズ４３ｂは導光部材４３の前面に設けられた透明な凸状部であってもよい。
【００４７】
上述した実施形態では、発光役物４０は上下にスライド移動する。しかしながら、上記のスライド機構と同様のスライド機構により、発光役物４０は、左右又は前後にスライド移動可能に構成されてもよい。
【符号の説明】
【００４８】
２：パチンコ機（遊技機）
３：遊技機枠
４：外枠
５：遊技盤ユニット
６：遊技盤
６ａ：表面（遊技盤面）
６ｂ：センター開口
７：センター役物（前方ユニットの一部）
８：前方ユニット
９：前枠
９ａ：中央開口
１０：ガラス（ガラス板）
１１：スペーサ（基盤部材）
１２：ガラス枠
１３：後方ユニット（役物ユニット）
１３ａ：中央開口
１４：球皿
１４ａ：上球皿
１４ｂ：下球皿
１５：発射装置ハンドル
１６：遊技領域
２２：ヒンジ
２３：遊技球（遊技媒体）
２６：レール飾り（前方ユニットの一部）
２６ａ：外レール
２９：始動入賞口（前方ユニットの一部）
３２：装飾部材
４０：発光役物
４１：装飾部
４１ａ：板状部
４１ｂ：透光部分
４１ｃ：不透光部分
４１ｄ：外縁部
４２：光拡散シート
４３：導光部材
４３ａ：孔
４３ｂ：レンズ
４３ｃ：（導光部材の孔を形成している）側面
４４：光源用基板
４４ａ：光源
４４ｂ：発光面
４５：支持体
７０：摺動部材
Ｙ：円
ｐ１〜ｐ５：線分
ｒ１〜ｒ１１：線分
【図１】
0006016224.tif 000002
【図２】
0006016224.tif 000003
【図３】
0006016224.tif 000004
【図４】
0006016224.tif 000005
【図５】
0006016224.tif 000006
【図６】
0006016224.tif 000007
【図７】
0006016224.tif 000008
【図８】
0006016224.tif 000009